(57)【特許請求の範囲】
【請求項１】
荷電粒子を加速する円形加速器と、
上記円形加速器により加速されて取り出されたビームを輸送するビーム輸送系と、
上記ビーム輸送系に設けられた同じ偏向角を持つ複数個の偏向電磁石と
を備え、
該偏向電磁石は、上記ビーム輸送系の輸送方向に相当する軸に対して偏向面が回転されていると共に該偏向電磁石に入射するビームと該偏向電磁石から出射するビームとの水平高さが異なることを特徴とする荷電粒子輸送装置。
【請求項２】
上記ビーム輸送系に設けられた偏向電磁石は、偏向面が互いに捩れの関係になる部分を持つことを特徴とする請求項１記載の荷電粒子輸送装置。
【請求項３】
上記円形加速器には、ビームに高周波電場を印加する高周波ノックアウト法を用いてビームを取出すビーム取出し手段が設けられていることを特徴とする請求項１または２記載の荷電粒子輸送装置。
【請求項４】
互いに異なる偏向面をつくる上記ビーム輸送系に設けられた偏向電磁石には、上記円形加速器の偏向電磁石と同じ仕様の電磁石が用いられていることを特徴とする請求項１〜３のいずれかに記載の荷電粒子輸送装置。
【請求項５】
上記ビーム輸送系の終端部に回転自在に接続され、該ビーム輸送系からのビームを回転照射する回転ガントリーを備えたことを特徴とする請求項１〜４のいずれかに記載の荷電粒子輸送装置。
【請求項６】
水平高さが異なる複数台の円形加速器と、これらの円形加速器からのビーム輸送系を１つのビーム輸送系に合流するビーム輸送系とを備え、
上記複数の円形加速器のうちの１つはビーム輸送系の水平高さが一定であることを特徴とする請求項１〜４のいずれかに記載の荷電粒子輸送装置。
【発明の詳細な説明】
【０００１】
【発明の属する技術分野】
この発明は、荷電粒子、特に陽子や重粒子などのイオンからなるビームを輸送し物体や人体に照射する物理実験やがん治療装置などの荷電粒子照射装置等に用いて好適な荷電粒子輸送装置に関するものである。
【０００２】
【従来の技術】
図６、例えば「Ｔｈｅ  Ｈｅａｖｙ  Ｉｏｎ  Ｍｅｄｉｃａｌ  Ａｃｃｅｌｅｒａｔｏｒ：Ｆｉｎａｌ  Ｄｅｓｉｇｎ  Ｓｕｍｍａｒｙ  Ｊｕｎｅ  １９８４，Ｌａｗｒｅｎｃｅ  Ｂｅｒｋｅｌｅｙ  Ｌａｂｏｒａｔｏｒｙ  ＰＵＢ‐５１２２」に示された従来の荷電粒子輸送装置の一例を示す配置図である。
【０００３】
図において、１は荷電粒子の円形の加速器（シンクロトロン）であり、２は加速器１より取り出されたビームを輸送するビーム輸送系、３はビーム輸送系２の一部である水平面内にビームを偏向する偏向電磁石、４は四極電磁石である。この他にもビームの散乱を防ぐためにビーム軌道を真空に保つ真空ダクト、真空排気装置、ビーム診断機器、それぞれの電源、制御系機器等があるがここには示していない。
【０００４】
次に動作について説明する。
加速器１から取り出された荷電粒子（例えば、陽子、重イオン）のビームは、ビーム輸送系２により建屋内の各目的の場所へ所定の形状でビームを供給する。その各部屋の照射点に置かれた物や人に対してビームを照射することを目的としている。ビーム輸送系２を構成する偏向電磁石３はその電源（図示せず）により２極磁場を作り出し荷電粒子との相互作用によりビームの中心軌道を決定する働きをもつ。また同様に四極電磁石４はその電源（図示せず）により四極磁場を作り出し荷電粒子との相互作用によりビームの形状を整える働きを持つ。つまり光学系で言うところのレンズの働きをする。
【０００５】
加速器１から取り出された荷電粒子のビームは、加速器１の性質によって、取出したビームの水平方向および垂直方向のエミッタンス（発散の度合い）が決定されてビーム輸送系２をとおるビームの性質となる。ビーム輸送系２においては四極電磁石４によって形状（ビームサイズ）を整えながら輸送するが、その絶対量はエミッタンスの大小によって決まる。装置の設計にあたっては、ビームサイズの大きさからそれを含むビームダクトの形状が決められ、偏向電磁石３と四極電磁石４の必要な磁極間隔が決定される。
通常の建屋におけるビームを届ける各部屋の配置は水平面内に展開されており、従ってビーム輸送系２も水平面で展開され、分岐や偏向をつかさどる偏向電磁石３は殆どの場合水平面にビームを偏向する。
【０００６】
図７は、図６の荷電粒子輸送装置を模式的に示すもので、図７（ａ）はその鳥瞰図、図７（ｂ）はその平面図、図７（ｃ）はその側面図である。
図において、偏向電磁石３ａは、加速器１の偏向面と同じ面で偏向している。また、５は偏向電磁石３ａの上流側の輸送ラインであり、加速器１から取出されてきたビームが通るラインである。６ａは偏向電磁石３ａの下流側の輸送ラインであり、従ってこの輸送ライン６ａと加速器１のビームラインとは同じレベルでありこの下流側に輸送系が展開していく。
【０００７】
【発明が解決しようとする課題】
ところで、従来の荷電粒子輸送装置は以上のように構成されているので、加速器からのビームのエミッタンスが水平方向より垂直方向に大きいと、ビーム輸送系の全体にわたって垂直方向にビームサイズが大きくなり、水平面内にビームを引き回す偏向電磁石において磁極間隔を大きくする必要がある。このことは、偏向電磁石の形状を大きくし、また磁束密度を得るためにより大きな電源を必要とするという問題点があった。
【０００８】
一方、加速器からのビームのエミッタンスが水平方向に大きい場合は、偏向電磁石において有効磁場の領域を大きくする必要があり、これは磁極幅を大きくしなければならない設計上の影響を及ぼすが、磁極間隔を大きくする影響に比べると非常に容易であり製造コストとランニングコストへの影響も小さい。
【０００９】
この発明は上記のような課題を解決するためになされたものであり、ビーム輸送系において偏向電磁石を小さくするとともに、その電源容量も小さく設計でき、製造コストおよびランニングコストを削減すること、あるいはその下流側にある照射系機器（例えば回転ガントリー）に適したビームの発散やサイズに調整することができる荷電粒子輸送装置を得ることを目的とする。
【００１０】
【課題を解決するための手段】
請求項１の発明に係る荷電粒子輸送装置は、荷電粒子を加速する円形加速器と、上記円形加速器により加速されて取り出されたビームを輸送するビーム輸送系と、上記ビーム輸送系に設けられた同じ偏向角を持つ複数個の偏向電磁石とを備え、該偏向電磁石は、上記ビーム輸送系の輸送方向に相当する軸に対して偏向面が回転されていると共に該偏向電磁石に入射するビームと該偏向電磁石から出射するビームとの水平高さが異なるものである。
また、請求項２の発明に係る荷電粒子輸送装置は、上記ビーム輸送系に設けられた偏向電磁石は、偏向面が互いに捩れの関係になる部分を持つものである。
【００１１】
請求項３の発明に係る荷電粒子輸送装置は、上記円形加速器には、ビームに高周波電場を印加する高周波ノックアウト法を用いてビームを取出すビーム取出し手段が設けられているものである。
【００１２】
請求項４の発明に係る荷電粒子輸送装置は、互いに異なる偏向面をつくる上記ビーム輸送系に設けられた偏向電磁石には、上記円形加速器の偏向電磁石と同じ仕様の電磁石が用いられているものである。
【００１３】
請求項５の発明に係る荷電粒子輸送装置は、上記ビーム輸送系の終端部に回転自在に接続され、該ビーム輸送系からのビームを回転照射する回転ガントリーを備えたものである。
【００１４】
請求項６の発明に係る荷電粒子輸送装置は、水平高さが異なる複数台の円形加速器と、これらの円形加速器からのビーム輸送系を１つのビーム輸送系に合流するビーム輸送系とを備え、上記複数の円形加速器のうちの１つはビーム輸送系の水平高さが一定である。
【００１６】
【発明の実施の形態】
先ず、この発明の基本的概念を説明する。
この発明は、荷電粒子を加速する例えば円形の加速器と、それにより加速されて取り出されたビームを輸送するビーム輸送系を備えた装置において、円形加速器からの輸送系において取出し直後の偏向電磁石をその偏向面が水平面と角度をなすように設置し、（上流側のビーム軸を中心に回転した状態）、それに続く偏向電磁石もその上流の偏向電磁石の偏向面とある角度をなすように配置することにより、垂直方向と水平方向のエミッタンスを混合し、その下流側の輸送系において水平面内を引き回すビーム輸送系の偏向電磁石の磁極間隔を広げなくてすむようにしたり、その下流側に接続される照射系や回転ガントリーなどに最適となるようにビームのエミッタンスを調整するものである。
【００１７】
この荷電粒子輸送装置では、以下の性質を利用している。陽子や重粒子等のビームは円形加速器において加速された場合、円形加速器に入射された時のエミッタンスが加速されたエネルギーに応じて水平・垂直両方向とも同じ割合で小さくなるが、さらに取出し方法に依存して１方向のエミッタンスを変えることができる。例えば加速器においてはＲＦ（高周波）ノックアウト法を使用することにより水平方向において著しくエミッタンスを小さくすることができ、特にがん治療装置などに使われるビームのエネルギー領域では、垂直方向（円形加速器を水平においた場合）よりも水平方向のエミッタンスを小さく出来る。
【００１８】
一方、偏向面を水平から傾けた偏向電磁石を組み合わせることで、上流側のビームとは高低差がつくものの結果として出てくるビーム軸を水平にすることが出来る。この時、その偏向角の大きさ、曲率半径、偏向磁石間の間隔やその間に置いた四極電磁石の強さ等に依存して、水平方向と垂直方向のエミッタンスの混合する割合が決まる。このことより、続く水平面に展開したビーム輸送系の偏向電磁石の磁極間方向（垂直方向）のビームサイズを磁極面方向（水平方向）のビームサイズより全体的に小さくしたり、調整することができる。
【００１９】
以下、この発明の実施の形態を図について説明する。
実施の形態１．
図１はこの発明の実施の形態１を示す配置図であり、図１（ａ）はその鳥瞰図、図１（ｂ）はその平面図、図１（ｃ）はその側面図である。なお、図１において、図６および図７と同一または相当部分には同一符号を付し、その説明を省略する。
図において、３ｂ１は図１（ａ）において上流側のライン５を中心に偏向磁石３ａ（図７）を実質的に回転したような配置の偏向電磁石である。従って偏向面はもはや加速器１と同じ面（例えば水平）ではない。その偏向磁石３ｂ１のつくる出口側の軌道は従ってななめに降りるライン７となる。３ｂ２はそのななめのライン７を入口とし、水平方向を出口の軌道とする偏向電磁石である。
従って、この偏向面も加速器１の軌道の面や偏向電磁石３ｂ１の偏向面とは異なる面にある。
【００２０】
またこの実施の形態１では簡単の為に四極電磁石や電磁石等の架台その他の機器は省いている。６ｂは３ｂ２から下流側の輸送系ラインであり、その端部には照射実験や治療照射の為の照射機器や、例えば回転ガントリー８（図２）等が接続されている。
【００２１】
この実施の形態１による荷電粒子輸送装置では、加速器１から出射されるビームは、加速器１の性能によって水平方向のエミッタンスと垂直方向のそれが異なっている。従来例のように、加速器１と同じ面内でビームを引回す場合は、水平と垂直方向のエミッタンスは輸送系の終端部まで変らない。しかし、本実施の形態のように偏向電磁石３ｂ１と３ｂ２を通ることにより、座標系が回転し、水平方向と垂直方向のエミッタンスが偏向電磁石３ｂ１と３ｂ２の配置や角度に応じて変換されて、図２（ａ）に示すように、垂直方向と水平方向の割合を変えることが出来る。
【００２２】
この配置と角度を加速器１から取出されたエミッタンスの水平と垂直の違いに応じて選んでやることにより偏向電磁石３ｂ２より以降の下流側の輸送系ライン６ｂでは、水平と垂直のエミッタンスの値を等しくし、図２（ｂ）に示すように、終端に回転自在に接続された回転ガントリー８に最適なビーム条件を与えることができる。
【００２３】
このように、この実施の形態１によれば、加速器の垂直方向のエミッタンスと水平方向のエミッタンスが異なって取出されたにも拘らず、下流側の輸送ライン６ｂにおいては等しくなっているので、下流側の輸送系全体にわたってエミッタンスが等しく下流側の輸送系の最終端に接続された回転ガントリー８に最適なビーム条件を与えることができる。この為従来エミッタンスを等しくするために用いられてきたコリメータを設ける必要がなく、またそのコリメータによってビームが削り取られる際に発生を余儀なくされる放射線が無くなり、ビーム利用率のアップとともに、放射線対策の設備費用が削減できる。
【００２４】
つまり、本実施の形体によれば、必要に応じて水平・垂直のエミッタンスの割合を換えることが出来る。また、このことにより垂直方向のエミッタンスを最少の値に調整でき、偏向磁石の磁極間隔を大きく製作することなくビーム輸送をすることができるので、全体的な偏向電磁石および架台と、その電源がコンパクトにでき、またランニングコストも大幅に削減される。また、後続する回転ガントリーなど照射系機器への最適なエミッタンスのビームとするために、従来はビームを削ることで対応してきたが、本実施の形態によれば磁石の組み合わせによりエミッタンスを調整することが可能となり、削ることによる有害な放射線の発生を無くし、利用効率の高いビームを供給することができる。
【００２５】
実施の形態２．
図３はこの発明の実施の形態２を示す配置図であって、図３（ａ）はその断面図、図３（ｂ）はその平面図、図３（ｃ）はそのビーム断面と電磁石断面を示す図である。図３において、図１および図２と同一または相当部分には同一符号を付して説明する。
図において、加速器１はＲＦノックアウトなどの取出し方法により、水平方向のエミッタンスが垂直方向よりも小さくなっているものである。３ｂ１は９０度偏向角を持ったの偏向電磁石で構成され上流側の輸送系ラインライン５を偏向して真下にビームを曲げる偏向電磁石である。３ｂ２はその垂直なライン７を入口とし、水平方向を出口の軌道とする同じ９０度の偏向角度の偏向電磁石であるがその下流側の輸送系ライン６ｂは３ｂ２の上流側の輸送系５のラインとは捩じれの位置にあり平面上に投影した場合直角の角度をなしている。
【００２６】
この実施の形態２では、加速器１から出射されるビームは、ＲＦノックアウト法などのビーム取出し方法によって水平方向のエミッタンスが垂直方向よりも小さくなっている。従って、全般的に、偏向電磁石３ｂ１までの上流側の輸送ライン５では垂直方向のビームサイズが水平方向よりも大きい。しかし、偏向電磁石３ｂ１と３ｂ２を通ることにより、座標系が回転し、水平方向と垂直方向のエミッタンスが入れ替えることが出来る。これにより偏向電磁石３ｂ２より以降の下流側の輸送系ライン６ｂでは、取出したあとの上流側の輸送系ライン５よりも縦方向のビームサイズを小さくできる。
【００２７】
このように、この実施の形態２によれば、下流側の輸送系ライン６ｂにおいては、垂直方向のエミッタンスが水平方向のエミッタンスよりも小さくなっているので、下流側の輸送系全体にわたってビームサイズが垂直方向の方が小さく、下流側の輸送系を構成する偏向電磁石内の磁極間隔方向のビームサイズが小さく、その結果ビームを通すビームダクトの垂直方向の高さを小さくでき、偏向電磁石の磁極間隔を小さく設計できる。
これによって、その下流側の輸送系の偏向電磁石の小型化およびその電磁石電源類（図示せず）の仕様の低減が可能となり、また、ランニングコストも節約され、経済的に優れた装置を得ることが出来る。
【００２８】
実施の形態３．
図４はこの発明の実施の形態３を示す配置図であって、図４（ａ）はその平面図、図４（ｂ）はその結線図である。図４において、図１および図２と同一または相当部分には同一符号を付して説明する。
図において、３は加速器を構成する偏向電磁石であり、ここでは６０度の偏向電磁石６台を使った加速器となっている。３ｂ１と３ｂ２は本発明に係わる輸送系の偏向電磁石であり、加速器を構成する偏向電磁石３と同じ型の偏向電磁石である。３ｂ１の上流側の輸送系のライン５は長方形の建屋の１辺（縦）と平行に走っており、本発明に関る電磁石配置により偏向電磁石３ｂ２の下流側の輸送系ライン６ｂは加速器とレベルが異なるが、建屋のもう１辺（横）と平行に走っている。また、加速器の電磁石とこの偏向電磁石は直列励磁にしてあり、同時に同じ励磁をする。
【００２９】
この実施の形態３による荷電粒子輸送装置では、加速器１から出射されたラインが建屋の縦方向であるにも拘わらず、加速器と同じ６０度の偏向電磁石２台によって、輸送系のラインを建屋の横方向に平行に変えている。加速器と同じ平面に配置したのでは、１２０度の角度となり、目的の方向へ輸送系を導くことができない。このように、加速器と同じ磁石を使って目的の角度に曲げようとした場合に、偏向電磁石３ｂ１と３ｂ２のそれぞれをその偏向面が同一平面とは異なるように配置したことで目的の角度に曲げることが可能である。
【００３０】
このように、この実施の形態３によれば、直角方向に輸送系を曲げる際に２台の加速器と同じ型の６０度の偏向電磁石を用いることで目的を達成することができる。また、同じ型であることから加速器の電磁石と直列に接続して電源を共有することが可能となる。
これによって、輸送系の偏向磁石として新たに電磁石を設計製作すること無しに、加速器の電磁石を量産することで済み、量産効果が発揮される。また、電源を共有することができるので、経済的な装置を得ることが出来る。
またこの実施の形態３の配置では、２台の加速器と同じ偏向電磁石を用いたが３台以上で構成してより幅の広い偏向角度に対応することも可能である。
【００３１】
つまり、本実施の形態によれば、建屋等の配置により一定の角度にビームを偏向させる場合に、輸送系との間に高低差をつけることで、加速器に使用される偏向電磁石を輸送系の磁石にも利用して任意の角度にビーム方向を偏向させることができる。
【００３２】
実施の形態４．
図５はこの発明の実施の形態４を示す配置図であり、図５（ａ）はその鳥瞰図、図５（ｂ）はその  平面図、図５（ｃ）はその説明図である。なお、図５において、図１と同一または相当部分には同一符号を付して説明する。
図において、１ａと１ｂは異なる垂直方向のエミッタンスをもった加速器であり、それぞれから取出されたビームは本発明に係わる偏向電磁石の３ｂ２の下流側において、この磁石の励磁と消磁を行うことにより、その下流側の共通な下流側の輸送系ライン６ｂをとおるようになっている。加速器１ａはＲＦノックアウト等の取出し方法により、水平方向のエミッタンスが垂直方向のそれより小さいものである。また、加速器１ｂの垂直方向のエミッタンスは加速器１ａのそれより小さいものである。
【００３３】
偏向電磁石３ｂ２を励磁・消磁する電源は、加速器１ａと１ｂの出射のタイミングに同期をとることにより、一方の加速器から出たビームパルスの間に他方のビームパルスを重ね合わせることが可能となっている。また、加速器１ａからのビームの垂直方向のエミッタンスが、本発明に関る偏向電磁石の系を通ることにより加速器１ｂからのビームの垂直方向のエミッタンスと一致するように、これらの偏向電磁石３ｂ１、３ｂ２が捩じれの配置となっている。
【００３４】
この実施の形態４による荷電粒子輸送装置では、加速器１ａから出射されたビームの垂直方向のエミッタンスが加速器１ｂのそれと異なって大きいにも拘らず、捩じれの位置にある本発明に係わる偏向電磁石２台によって、合流した地点より同じ値をとるようにすることが可能である。
【００３５】
このように、この実施の形態４によれば、従来の平面で合流する方式では、異なる垂直方向のエミッタンスを持つ加速器からのビームを合流する際に、そのうちの大きいエミッタンスに対応したビーム輸送系の製作、つまり偏向電磁石のギャップが大きくなるとともに電源定格の増加の必要があったが、本実施の形体では、両者の垂直方向のエミッタンスを最小化したものに対して、それをカバーするビーム輸送系を作ればよい。従って、偏向電磁石のギャップが削減され、それに応じてそれらの電源の定格の減少によって製作費およびランニングコストの削減を達成することができる。この例では、片方の加速器からのビームをそのまま下流側のビーム輸送系に持ってきたが、両方の加速器からのビームを本発明に関る捩じれの配置にある偏向電磁石系を通すことによって、それぞれ垂直方向のエミッタンスを最小化させることにより、より経済的な輸送系を得ることができる。
【００３６】
【発明の効果】
以上説明したように、請求項１の発明によれば、荷電粒子を加速する円形加速器と、上記円形加速器により加速されて取り出されたビームを輸送するビーム輸送系と、上記ビーム輸送系に設けられた同じ偏向角を持つ複数個の偏向電磁石とを備え、該偏向電磁石は、上記ビーム輸送系の輸送方向に相当する軸に対して偏向面が回転されていると共に該偏向電磁石に入射するビームと該偏向電磁石から出射するビームとの水平高さが異なるものであるので、加速器の垂直方向のエミッタンスと水平方向のエミッタンスが異なって取出されたにも拘らず、下流側の輸送ラインにおいては等しくなり、下流側の輸送系全体にわたってエミッタンスが等しく下流側の輸送系の最終端に接続された回転ガントリーに最適なビーム条件を与えることができ、以って、従来エミッタンスを等しくするために用いられてきたコリメータを設ける必要がなく、またそのコリメータによってビームが削り取られる際に発生を余儀なくされる放射線が無くなり、ビーム利用率のアップとともに、放射線対策の設備費用が削減できるという効果がある。
また、請求項２の発明によれば、上記ビーム輸送系に設けられた偏向電磁石は、偏向面が互いに捩れの関係になる部分を持つものであるので、平面上に投影した場合に直角の角度をなすことができる。
【００３７】
請求項３の発明によれば、上記円形加速器には、ビームに高周波電場を印加する高周波ノックアウト法を用いてビームを取出すビーム取出し手段が設けられているものであるので、下流側の輸送系の偏向電磁石の小型化およびその電磁石電源類の仕様の低減が可能となり、また、ランニングコストも節約され、経済的に優れた装置を得ることが出来るという効果がある。
【００３８】
請求項４の発明によれば、互いに異なる偏向面をつくる上記ビーム輸送系に設けられた偏向電磁石には、上記円形加速器の偏向電磁石と同じ仕様の電磁石が用いられているので、加速器の電磁石と直列に接続して電源を共有することが可能となり、輸送系の偏向磁石として新たに電磁石を設計製作すること無しに、加速器の電磁石を量産することで済み、量産効果が発揮され、また、電源を共有することができるから経済的な装置を得ることが出来るという効果がある。
【００３９】
請求項５の発明によれば、上記ビーム輸送系の終端部に回転自在に接続され、該ビーム輸送系からのビームを回転照射する回転ガントリーを備えたものであるので、磁石の組み合わせによりエミッタンスを調整することが可能となり、以って、従来の後続する回転ガントリーなど照射系機器への最適なエミッタンスのビームとするためこのビームを削ることによる有害な放射線の発生を無くし、利用効率の高いビームを供給することができるという効果がある。
【００４０】
請求項６の発明によれば、水平高さが異なる複数台の円形加速器と、これらの円形加速器からのビーム輸送系を１つのビーム輸送系に合流するビーム輸送系とを備え、上記複数の円形加速器のうちの１つはビーム輸送系の水平高さが一定であるので、偏向電磁石のギャップが削減され、それに応じてそれらの電源の定格の減少によって製作費およびランニングコストの削減を達成することができるという効果がある。
【図面の簡単な説明】
【図１】この発明の実施の形態１を示す配置図である。
【図２】この発明の実施の形態１を示す配置図である。
【図３】この発明の実施の形態２を示す配置図である。
【図４】この発明の実施の形態３を示す配置図である。
【図５】この発明の実施の形態４を示す配置図である。
【図６】従来の荷電粒子輸送装置を示す配置図をである。
【図７】従来の荷電粒子輸送装置を模式的に示す配置図をである。
【符号の説明】
１，１ａ  円型加速器、  ２  ビーム輸送系、  ３，３ｂ１，３ｂ２  偏向電磁石、  ５  上流側の輸送系、  ６ａ，６ｂ  下流側の輸送系、  ７  ななめのライン、  ７ａ  垂直なライン  ８  回転ガントリー。
【図１】
0003574334.tif 000002
【図２】
0003574334.tif 000003
【図３】
0003574334.tif 000004
【図４】
0003574334.tif 000005
【図５】
0003574334.tif 000006
【図６】
0003574334.tif 000007
【図７】
0003574334.tif 000008